(57)【特許請求の範囲】
【請求項１】
１枚のブランクにおける一側面パネルに背面パネルが連設されており、該背面パネルが他端の背面下パネルの外面に接着されることで筒状に形成され、前記一側面パネルには略矩形状の開口が設けられており、前記背面下パネルの端辺には前記開口と同じ幅の回動板が前記開口から露出する位置に連設されており、さらにこの回動板の両側には係止突起を有する略四半円形状のガイド板が折れ線を介して連設されている、振り出し口を備えたカートンであって、前記開口の前記ガイド板と対応する縁に、突出したリクローズ用係止突起を設け、一方、前記ガイド板の前記回動板に隣接する縁部の前記リクローズ用係止突起と対応する位置に、切り込みによる孔を形成しているリクローズ用係止孔を設け、前記リクローズ用係止突起を前記リクローズ用係止孔に嵌め込むことにより、振り出し口に係止機構を持たせていることを特徴とする振り出し口付きカートン。
【発明の詳細な説明】
【０００１】
【発明の属する技術分野】
本発明は、キャンデー、ガム、チョコレートなどの粒状の菓子類、その他粒状商品を収納してこれを小出しできる振り出し口付きカートンに関するものである。
【０００２】
【従来の技術】
従来のこの種の振り出し口付きカートンでは、例えば、直方体状カートンにおいて、狭幅の側面パネルの上部に振り出し用の開口を設け、また広幅パネルの上部には回動板１４を連設し、その回動板１４の上下部に係止突起１５ａ、１６ａを有する半円形状ガイド板１５、１６を設けて成り、回動板１４によって振り出し口Ｓを形成し、開口を開閉自在にしたもの（図８参照）などが知られている。
【０００３】
【発明が解決しようとする課題】
上述した従来の振り出し口付きカートンは、振り出し口にリクローズ性があり、しかも板紙からなる１枚のブランクで組み立てられるので加工性、経済性に優れているという利点があるものの、振り出し口に係止機構がないことから、不使用時に回動板が動いて内容物が洩れ出すという欠点があった。
【０００４】
本発明は、上記のような欠点に鑑みてなされたものであり、その目的とするところは、振り出し口にリクローズ性がありながらも内容物が不用意に洩れ出すことのない振り出し口付きカートンを提供することにある。
【０００５】
【課題を解決するための手段】
上記の目的を達成するために、本発明の振り出し口付きカートンは、１枚のブランクにおける一側面パネルに背面パネルが連設されており、該背面パネルが他端の背面下パネルの外面に接着されることで筒状に形成され、前記一側面パネルには略矩形状の開口が設けられており、前記背面下パネルの端辺には前記開口と同じ幅の回動板が前記開口から露出する位置に連設されており、さらにこの回動板の両側には係止突起を有する略四半円形状のガイド板が折れ線を介して連設されている、振り出し口を備えたカートンであって、前記開口の前記ガイド板と対応する縁に、突出したリクローズ用係止突起を設け、一方、前記ガイド板の前記回動板に隣接する縁部の前記リクローズ用係止突起と対応する位置に、切り込みによる孔を形成しているリクローズ用係止孔を設け、前記リクローズ用係止突起を前記リクローズ用係止孔に嵌め込むことにより、振り出し口に係止機構を持たせていることを特徴とする振り出し口付きカートンである。
【０００６】
上述の構成からなる本発明の振り出し口付きカートンによれば、開口の縁から突出するリクローズ用係止突起を設け、回動板に連設したガイド板の縁部にリクローズ用係止孔を設け、リクローズ用係止突起をリクローズ用係止孔に嵌め込むことにより、振り出し口にリクローズ性があり、振り出し口をリクローズした状態で内容物が不用意に洩れ出すことのない係止機構を有する振り出し口付きカートンを提供することができる。
【０００７】
【発明の実施の形態】
以下、本発明の実施例について図面を参照して説明する。
【０００８】
図１は本発明の第一の実施の形態の一実施例としての振り出し口付きカートンの斜視図であり、この振り出し口付きカートンＡは、回動板１４を引き出して振り出し口Ｓを形成し、開口から内容物を取り出す形式のカートンであり、図２にその展開図を示す板紙製のブランクＡ１を組み立てて形成される。
【０００９】
図２に示すブランクＡ１において１は広幅の前面パネルで、その左側に縦折れ線ａ、ｂを介して狭幅の左側面パネル２および背面パネル３がこの順で連設され、その右側に縦折れ線ｃ、ｄを介して狭幅の右側面パネル４および広幅の背面下パネル５がこの順で連設されており、前面パネル１の上下にはそれぞれ横折れ線ｅ、ｆを介して天面パネル６および底面パネル７が連設され、背面パネル３の上下にはそれぞれ横折れ線ｇ、ｈを介して天面下パネル８および底面下パネル９が連設されている。そして、左側面パネル２の上下にはそれぞれ横折れ線ｉ、ｊを介して折り込み片１０、１１が、右側面パネル４の上下にはそれぞれ横折れ線ｋ、ｌを介して折り込み片１２、１３が連設されている。
【００１０】
また、左側面パネル２の上方部にはその幅にわたる略矩形状の開口２ａが設けられており、背面下パネル５の右端縁にはこの開口２ａと同じ上下幅で若干横に長いサイズの回動板１４が縦折れ線ｍを介して開口２ａに対応する位置に連設されている。そして、さらにこの回動板１４の上下両辺には係止突起１５ａ、１６ａを有する略四半円形状のガイド板１５、１６がそれぞれ横折れ線ｎ、ｏを介して連設されている。
【００１１】
さらに、開口２ａでは、その下縁の略中央部から突出したリクローズ用係止突起Ｐが設けられている。このリクローズ用係止突起Ｐの高さは、１〜３ｍｍの範囲とすることが好ましい。
【００１２】
さらにまた、この回動板１４に連設したガイド板１５の上縁部に開口２ａのリクローズ用係止突起Ｐと対応する位置に折れ線ｏの一部を１縁としたリクローズ用係止孔Ｑが設けられている。
【００１３】
このリクローズ用係止孔Ｑは４縁に切り込みを入れた孔としてもよいが、図２−ｂの部分拡大図に示すように、折れ線ｏの一部を１縁とし他の３縁に切り込みｑを入れて、ガイド板１５を折れ線ｏで回動板１４に直角に折り曲げた時に、リクローズ用係止孔Ｑが表出する形状とすることが好ましい。この形状にすることによって、３縁が切り込まれた部分を係止片Ｑ′として、リクローズする時のリクローズ用係止突起Ｐをリクローズ用係止孔Ｑに嵌め込む動作を確実なものとすることができる。
【００１４】
このリクローズ用係止孔Ｑは、振り出し口Ｓを閉じた時にリクローズ用係止突起Ｐを嵌め込める位置に設けられ、リクローズ用係止突起Ｐが嵌め込める形状のものとする。リクローズ用係止突起Ｐをリクローズ用係止孔Ｑに嵌め込むことにより、回動板１４が開口２ａに閉じた状態で係止され、その時、音を発するため、聴覚的にも開閉感を持たせることができる。
【００１５】
図２のブランクＡ１を組み立てるに際しては、まず、各パネルを縦折れ線ｄ、ａの順に折り曲げ、図３にその裏側を示すように、開口２ａの部分に回動板１４を露出させた状態で背面パネル３を背面下パネル５の外面に接着してサック貼りし、この状態で製函業者より内容物充填業者へ納品する。内容物充填業者は、このように扁平に折り畳まれた状態で納品されたものを縦折れ線ａ〜ｄで角筒状に起こし、上方の折り込み片１０、１２を横折れ線ｉ、ｋで内側に折り込んだ後、天面下パネル８および天面パネル６を横折れ線ｇ、ｅで折り曲げて互いに接着することで上部を閉鎖する。ついで、内容物を充填してから、下方の折り込み片１１、１３を横折れ線ｊ、ｌで内側に折り込んだ後、底面下パネル９および底面パネル７を横折れ線ｈ、ｆで折り曲げて互いに接着することで下部を閉鎖して図１に示す振り出し口付きカートンＡの組み立てが完了する。なお、上部と下部を閉鎖する順序は逆でもよい。
【００１６】
図１−ａの振り出し口付きカートンＡから内容物を振り出すに際しては、回動板１４をその先端部を取っ掛かりとして指先で側方の後に引き起こすと、図１−ｂ、図４−ａに示すように、回動板１４の両側のガイド板１５、１６が開口２ａの上下両縁に沿って引き出されて立ち上がることで振り出し口Ｓが形成され、開口２ａから内容物を振り出すことができる。なお、この際、ガイド板１５、１６はその係止突起１５ａ、１６ａが前面パネル１の裏側に当接するので、回動板１４を無理に引き起こさない限り振り出し口カートンＡから外れることがない。
【００１７】
さらに、内容物を振り出した後、図４−ｂに示すように、回動板１４で開口２ａを閉じるが、その時に、図４−ｃに示すように、開口２ａの下縁部に設けたリクローズ用係止突起Ｐをガイド板１５の縁部のリクローズ用係止孔Ｑに嵌め込むことにより、回動板１４が係止されリクローズすることができる。このリクローズ用係止突起Ｐをリクローズ用係止孔Ｑに嵌め込む時に、「パチ」と音を立てることから、聴覚的にもリクローズされたことを確認することができる。この状態では、回動板１４が係止されているため、内容物が洩れ出すことはない。
【００１８】
なお、本実施例では、リクローズ用係止突起Ｐおよびリクローズ用係止孔Ｑは、開口２ａの下縁および回動板１４の下側のガイド板１６の上縁部に設けられているが、開口２ａの上縁および回動板１４の上側のガイド板１６の下縁部に設けてもよく、さらには両方に設けてもよい。
【００１９】
図５は本発明の第二の実施の形態の一実施例としての振り出し口付きカートンの斜視図であり、この振り出し口付きカートンＢは図６にその展開図を示す板紙製のブランクＢ１を組み立てて形成される。
【００２０】
図６に示すブランクＢ１において２１は広幅の前面パネルで、その下側に横折れ線ａ、ｂを介して狭幅の天面パネル２２（本実施例の場合、側面パネルを天面パネルと称している。）および接着パネル２３（本実施例の場合、背面パネルの幅が狭いため背面パネルを接着パネルと称している。）がこの順で連設され、その上側に横折れ線ｃ、ｄを介して狭幅の底面パネル２４（本実施例の場合、側面パネルを底面パネルと称している。）および広幅の背面下パネル２５がこの順で連設されており、前面パネル２１の左右にはそれぞれ縦折れ線ｅ、ｆを介して右側面パネル２６および左側面パネル２７が連設され、背面下パネル２５の左右にはそれぞれ縦折れ線ｇ、ｈを介して右側面下パネル２８および左側面下パネル２９が連設されている。そして、また、天面パネル２２の左右にはそれぞれ縦折れ線ｉ、ｊを介して折り込み片３０、３１が、底面パネル２４の左右にはそれぞれ縦折れ線ｋ、ｌを介して折り込み片３２、３３が連設されている。
【００２１】
また、天面パネル２２の中央にはその幅にわたる略矩形状の開口２２ａが設けられており、背面下パネル２５の上端縁にはこの開口２２ａと同じ左右幅の回動板３４が横折れ線ｍを介して開口２２ａに対応する位置に連設されており、さらにこの回動板３４の左右両辺には係止突起３５ａ、３６ａを有する略四半円形状のガイド板３５、３６がそれぞれ縦折れ線ｎ、ｏを介して連設されている。
【００２２】
さらに、第一の実施の形態と同様に、開口２２ａの右縁から突出したリクローズ用係止突起Ｐを設けている。一方、回動板３４の右側に連設したガイド板３６の左縁部には、リクローズ用係止突起Ｐと対応する位置に、切り込みｑによるリクローズ用係止孔Ｑを設けている。開口２２ａの右縁に設けたリクローズ用係止突起Ｐをガイド板３６のリクローズ用係止孔Ｑに嵌め込める位置関係としている。
【００２３】
図６のブランクＢ１を組み立てるに際しては、まず、各パネルを横折れ線ｄ、ａの順に折り曲げ、図７にその裏側を示すように、開口２２ａの部分に回動板３４を露出させた状態で接着パネル２３を背面下パネル２５の外面に接着してサック貼りし、この状態で製函業者より内容物充填業者へ納品する。内容物充填業者は、このように扁平に折り畳まれた状態で納品されたものを横折れ線ａ〜ｄで角筒状に起こし、左側（図７）の折り込み片３０、３２を縦折れ線ｉ、ｋで内側に折り込んだ後、右側面下パネル２８および右側面パネル２６を縦折れ線ｇ、ｅで折り曲げて互いに接着することで右側を閉鎖する。ついで、内容物を充填してから、右側（図７）の折り込み片３１、３３を縦折れ線ｊ、ｌで内側に折り込んだ後、左側面下パネル２９および左側面パネル２７を縦折れ線ｈ、ｆで折り曲げて互いに接着することで左側を閉鎖して図５に示す振り出し口付きカートンＢの組立を完了する。なお、右側と左側を閉鎖する順序は逆でもよい。
【００２４】
図５−ａの振り出し口付きカートンＢから内容物を振り出すに際しては、回動板３４をその先端部を取っ掛かりとして指先で上方の後に引き起こすと、図５−ｂに示すように、回動板３４の両サイドのガイド板３５、３６が開口２２ａの左右両縁部に沿って引き出されて立ち上がることで振り出し口Ｓが形成され、この振り出し口Ｓから内容物を振り出すことができる。なお、この際、ガイド板３５、３６はその係止突起３５ａ、３６ａが前面パネル２１の裏側に当接するので、回動板３４を無理に引き起こさない限りカートンから外れることがない。
【００２５】
さらに、内容物を振り出した後、回動板３４で開口２２ａを閉じるが、その時に、開口２２ａの縁に設けたリクローズ用係止突起Ｐをガイド板３６の縁部のリクローズ用係止孔Ｑに嵌め込むことにより、回動板３４が係止されリクローズすることができる。このリクローズ用係止突起Ｐをリクローズ用係止孔Ｑに嵌め込む時に、「パチ」と音を立てることから、聴覚的にもリクローズされたことを確認することができる。この状態では、回動板３４が係止されているため、内容物が洩れ出すことはない。
【００２６】
以上、本発明を２つの実施例に基づいて説明したが、本発明は上述の各実施例に限定されるものではなく、特許請求の範囲に記載の事項の範囲内で種々にその細部の構成を変更して実施可能なものである。
【００２７】
例えば、胴部が正六角形である公知の形状をしたカートンに振り出し口を形成するようにすることもできる。また、このように胴部が正六角形をしたカートンのほかにも、胴部の形状が六角形、正八角形、八角形などをしたカートンの側面に振り出し口を形成することも可能である。
【００２８】
【発明の効果】
以上説明したように、本発明の振り出し口付きカートンは、開口の縁から突出するリクローズ用係止突起を設け、回動板に連設したガイド板の縁部にリクローズ用係止孔を設け、リクローズ用係止突起をリクローズ用係止孔に嵌め込むことにより、振り出し口にリクローズ性があり、振り出し口をリクローズした状態で内容物が不用意に洩れ出すことがなく、リクローズ用係止突起をリクローズ用係止突起孔に嵌め込む時に、「パチ」と音を立てることから、聴覚的にもリクローズされたことを確認することができる係止機構を有するという効果を奏する。
【図面の簡単な説明】
【図１】本発明である振り出し口付きカートンの第１の実施の形態の一実施例を示す斜視図である。
【図２】図１の振り出し口付きカートンを形成するブランクの展開図および部分拡大図である。
【図３】図２のブランクをサック貼りした状態を示す裏面図である。
【図４】図１の振り出し口付きカートンで振り出し口のリクローズを説明する部分図である。
【図５】本発明である振り出し口付きカートンの第２の実施の形態の一実施例を示す斜視図である。
【図６】図５の振り出し口付きカートンを形成するブランクの展開図である。
【図７】図６のブランクをサック貼りした状態を示す裏面図である。
【図８】従来の振り出し口付きカートンを示す斜視図である。
【符号の説明】
Ａ      振り出し口付きカートン
Ｂ      振り出し口付きカートン
Ａ１    ブランク
Ｂ１    ブランク
１      前面パネル
２      左側面パネル
２ａ    開口
３      背面パネル
４      右側面パネル
５      背面下パネル
６      天面パネル
７      底面パネル
８      天面下パネル
９      底面下パネル
１０      折り込み片
１１      折り込み片
１２      折り込み片
１３      折り込み片
１４      回動板
１５      ガイド板
１５ａ    係止突起
１６      ガイド板
１６ａ    係止突起
２１      前面パネル
２２      天面パネル
２２ａ    開口
２３      接着パネル（背面パネル）
２４      底面パネル
２５      背面下パネル
２６      右側面パネル
２７      左側面パネル
２８      右側面下パネル
２９      左側面下パネル
３０      折り込み片
３１      折り込み片
３２      折り込み片
３３      折り込み片
３４      回動板
３５      ガイド板
３５ａ    係止突起
３６      ガイド板
３６ａ    係止突起
ａ〜ｏ    折れ線
ｑ      切り込み
Ｐ      リクローズ用係止突起
Ｑ      リクローズ用係止孔
Ｑ′    係止片
【図１】
0004334794.tif 000002
【図２】
0004334794.tif 000003
【図３】
0004334794.tif 000004
【図４】
0004334794.tif 000005
【図５】
0004334794.tif 000006
【図６】
0004334794.tif 000007
【図７】
0004334794.tif 000008
【図８】
0004334794.tif 000009